(57)【要約】【課題】作業機械の蓄電装置に対して外部充電が行われた場合は行われなかった場合と比べて、蓄電装置の出力を大きく設定できるようにすること。【解決手段】エンジン31でのポンプ32の駆動をアシストするアシストモータ42（モータ・ジェネレータ）と、旋回体3を駆動する旋回モータ47（モータ・ジェネレータ）と、バッテリ41の出力の制御を行う手段52と、外部充電が行われたか否かを検知する手段51を備え、手段52は、外部充電が行われたことが検知された場合にアシストモータ42や旋回モータ47の駆動時にバッテリ41（蓄電装置）の出力を制限せず、アシストモータ42および旋回モータ47の要求に基づき制御する第１のモードでの制御を行い、外部充電が行われていないことが検知された場合にアシストモータ42や旋回モータ47の駆動時に充電残量を所定充電残量に維持する第２のモードでの制御を行う。【選択図】図２
2014159716.tif 000002
【特許請求の範囲】
【請求項１】
エンジンと、
前記エンジンにより駆動される油圧ポンプと、
前記油圧ポンプの吐出油を供給されて作業機械の所定部位を駆動する油圧アクチュエータと、
蓄電装置と、
前記蓄電装置からの電気エネルギの供給によって力行することで、前記エンジンによる前記油圧ポンプの駆動をアシストするとともに、前記エンジンにより駆動されることによって前記蓄電装置に充電される電気エネルギを生成する電動モータと、
前記蓄電装置からの電気エネルギの供給によって力行することで、前記所定部位とは別の所定部位を駆動するとともに、前記蓄電装置に充電される電気エネルギを回生により生成する電動アクチュエータと、
前記蓄電装置から前記電動モータおよび前記電動アクチュエータに供給される電気エネルギの出力と、前記電動モータおよび前記電動アクチュエータにより生成される電気エネルギの前記蓄電装置に対する充電とを、前記蓄電装置の充電残量が所定充電残量に維持されるように制御する電気出力制御手段とを備える作業機械の駆動制御装置において、
前記蓄電装置は、作業機械の外部に設けられた外部電源により充電可能なものであり、
前記外部電源によって前記蓄電装置に対し充電が行われた否かを検知する外部充電検知手段が設けられ、この外部充電検知手段は、前記蓄電装置における充電残量が所定充電残量よりも大きく予め設定された規定充電残量以上であることを、前記外部電源によって前記蓄電装置に対し充電が行われたこととして検知し、前記蓄電装置における蓄電残量が前記規定充電残量よりも小さな充電残量であることを、前記外部電源によって前記蓄電装置に対し充電が行われていないこととして検知するものであり、
前記電気出力制御手段は、
前記外部電源により前記蓄電装置に対して充電が行われたことが前記外部充電検知手段により検知された場合に、前記蓄電装置から出力される電気エネルギを制限せずに、前記電動モータおよび前記電動アクチュエータの要求に基づき制御する第１のモードでの制御を行い、
前記外部電源により前記蓄電装置に対して充電が行われていないことが前記外部充電検知手段により検知された場合に、前記蓄電装置から出力される電気エネルギを制限して、前記蓄電装置における充電残量を前記所定充電残量に維持する第２のモードでの制御を行う
ことを特徴とする作業機械の駆動制御装置。
【請求項２】
請求項１に記載の作業機械の駆動制御装置において、
前記電気出力制御手段は、前記第１のモードで前記蓄電装置の出力の制御を開始した後、前記蓄電装置における充電残量が前記所定充電残量まで減少したときに、前記第１のモードから前記第２のモードに移行する
ことを特徴とする作業機械の駆動制御装置。
【発明の詳細な説明】
【技術分野】
【０００１】
本発明は、蓄電装置に蓄えられた電気エネルギを用いて作業機械を駆動する作業機械の駆動制御装置に関する。
【背景技術】
【０００２】
従来、作業機械の駆動制御装置には、例えば油圧ショベルに搭載されたものがあり、走行体のクローラを駆動するための走行モータ（油圧モータ）と、ブームを駆動するためのブームシリンダ（油圧シリンダ）と、アームを駆動するためのアームシリンダ（油圧シリンダ）と、バケットを駆動するためのバケットシリンダ（油圧シリンダ）と、エンジン（内燃機関）と、これら走行モータ、ブームシリンダ、アームシリンダ、バケットシリンダに供給される圧油を、エンジンにより駆動されて吐出する油圧ポンプとを備える。
【０００３】
この作業機械の駆動制御装置はさらに、内燃機関から成るエンジンにより駆動されるジェネレータと、このジェネレータにより生成された電気エネルギを蓄える蓄電装置と、ジェネレータにより生成された電気エネルギ、または蓄電装置に蓄えられた電気エネルギを供給されて所定部位を駆動する電動アクチュエータ、例えば旋回体を駆動する電動モータとを備える。この種の従来の技術としては例えば特許文献１に開示されたものがある。
【０００４】
また、前述とは別の駆動制御装置は、前述のジェネレータの替わりに、モータ・ジェネレータを備え、蓄電装置における充電残量に応じて、そのモータ・ジェネレータの力行動作、すなわちエンジンによる油圧ポンプの駆動をアシストする動作に対し所定の制限が加えられるようにされている。これによって、蓄電装置における充電残量の急速な減少が防止される。この種の従来の駆動制御装置としては、例えば特許文献２に開示されたものがある。
【先行技術文献】
【特許文献】
【０００５】
【特許文献１】特開２００１−１１８９７号公報
【特許文献２】特開２００５−８３２４２号公報
【発明の概要】
【発明が解決しようとする課題】
【０００６】
ところで、作業機械の駆動制御装置において、蓄電装置を、作業機械に備えられたジェネレータまたはモータ・ジェネレータによる充電以外に、作業機械の外部に設けられた外部電源による充電（以下適宜「外部充電」という）が可能に構成することが考えられる。
【０００７】
特許文献１，２に開示された技術のように外部充電を行うことを考慮していない構成である場合、蓄電装置に対して充電を行うための電気エネルギは、エンジンの出力が変換されてなる電気エネルギと、回生により生成された電気エネルギとに限られる。つまり、作業機械に搭載された燃料を消費して生成できる電気エネルギの範囲内でしか、蓄電装置に対する充電が行われないので、その範囲を超える出力アップは望めない。
【０００８】
本発明は前述の事情を考慮してなされたものであり、蓄電装置に対して外部充電が行われた場合は行われなかった場合と比べて、蓄電装置の出力を大きく設定することができる作業機械の駆動制御装置を提供することにある。
【課題を解決するための手段】
【０００９】
前述の目的を達成するために本発明は作業機械の駆動制御装置は次のように構成されている。
【００１０】
〔１〕  本発明の作業機械の駆動制御装置は、エンジンと、前記エンジンにより駆動される油圧ポンプと、前記油圧ポンプの吐出油を供給されて作業機械の所定部位を駆動する油圧アクチュエータと、蓄電装置と、前記蓄電装置からの電気エネルギの供給によって力行することで、前記エンジンによる前記油圧ポンプの駆動をアシストするとともに、前記エンジンにより駆動されることによって前記蓄電装置に充電される電気エネルギを生成する電動モータと、前記蓄電装置からの電気エネルギの供給によって力行することで、前記所定部位とは別の所定部位を駆動するとともに、前記蓄電装置に充電される電気エネルギを回生により生成する電動アクチュエータと、前記蓄電装置から前記電動モータおよび前記電動アクチュエータに供給される電気エネルギの出力と、前記電動モータおよび前記電動アクチュエータにより生成される電気エネルギの前記蓄電装置に対する充電とを、前記蓄電装置の充電残量が所定充電残量に維持されるように制御する電気出力制御手段とを備える作業機械の駆動制御装置において、前記蓄電装置は、作業機械の外部に設けられた外部電源により充電可能なものであり、前記外部電源によって前記蓄電装置に対し充電が行われた否かを検知する外部充電検知手段が設けられ、この外部充電検知手段は、前記蓄電装置における充電残量が所定充電残量よりも大きく予め設定された規定充電残量以上であることを、前記外部電源によって前記蓄電装置に対し充電が行われたこととして検知し、前記蓄電装置における蓄電残量が前記規定充電残量よりも小さな充電残量であることを、前記外部電源によって前記蓄電装置に対し充電が行われていないこととして検知するものであり、前記電気出力制御手段は、前記外部電源により前記蓄電装置に対して充電が行われたことが前記外部充電検知手段により検知された場合に、前記蓄電装置から出力される電気エネルギを制限せずに前記電動モータおよび前記電動アクチュエータの要求に基づき制御する第１のモードでの制御を行い、前記外部電源により前記蓄電装置に対して充電が行われていないことが前記外部充電検知手段により検知された場合に、前記蓄電装置から出力される電気エネルギを制限して前記蓄電装置における充電残量を前記所定充電残量に維持する第２のモードでの制御を行うことを特徴とする。
【００１１】
この「〔１〕」に記載された本発明の作業機械の駆動制御装置において、電気出力制御手段は、外部電源によって蓄電装置に対し充電が行われたこと（外部充電が行われたこと）が外部充電検知手段により検知された場合に、蓄電装置から出力される電気エネルギを制限せずに電動モータおよび電動アクチュエータの要求に基づいて制御する第１のモードでの制御を行い、外部充電が行われていないことが外部充電検知手段により検知された場合に、蓄電装置から出力される電気エネルギを制限して充電残量を所定充電残量に維持する第２のモードでの制御を行う。外部充電が行われたことが検知される場合とは、充電残量が規定充電残量以上となるまで充電された場合であり、その規定充電残量は所定充電残量よりも予め大きく設定されたものであるから、第１のモードにおける蓄電装置の出力の上限は、第２のモードにおける蓄電装置の出力の上限に比べて大きく設定されることになる。これらにより、本発明の作業機械の駆動制御装置は、作業機械の蓄電装置に対して外部充電が行われた場合は行われなかった場合と比べて、蓄電装置の出力を大きく設定することができる。
【００１２】
〔２〕  本発明の作業機械の駆動制御装置は、「〔１〕」に記載された本発明の作業機械の駆動制御装置において、前記電気出力制御手段は、前記第１のモードで前記蓄電装置の出力の制御を開始した後、前記蓄電装置における充電残量が前記所定充電残量まで減少したときに、前記第１のモードから前記第２のモードに移行することを特徴とするものであってもよい。
【００１３】
この「〔２〕」に記載された本発明の作業機械の駆動制御装置は、蓄電装置に対し外部充電が行われた場合であっても作業機械での作業中に蓄電装置での充電残量が所定充電残量まで減少した後は、蓄電装置における充電残量を所定充電残量に維持することができる。
【発明の効果】
【００１４】
本発明の作業機械の駆動制御装置は、前述のように、作業機械の蓄電装置に対して外部充電が行われた場合は行われなかった場合と比べて、蓄電装置の出力を大きく設定することができる。
【図面の簡単な説明】
【００１５】
【図１】本発明の作業機械の駆動制御装置の一実施形態が搭載される油圧ショベル（作業機械）の側面図である。
【図２】本発明の作業機械の駆動制御装置の一実施形態を示すブロック図である。
【図３】外部充電を行った場合の蓄電装置の充電残量の推移の一例を示す図である。
【図４】外部充電を行わなかった場合の蓄電装置の充電残量の推移の一例を示す図である。
【発明を実施するための形態】
【００１６】
本発明の一実施形態に係る作業機械の駆動制御装置について図１〜図４を用いて説明する。
【００１７】
図１に示す油圧ショベル１は、履帯を駆動して走行する走行体２と、運転室４、機械室５およびカウンタウェイト６を有し、走行体２の上部に旋回可能に結合した旋回体３と、この旋回体３の前部に装備されたフロント作業装置７とを備える。フロント作業装置７は、旋回体３の前部に回動可能に結合したブーム８と、このブーム８の先端部に回動可能に結合したアーム９と、このアーム９の先端部に回動可能に結合したバケット１０とを備える。
【００１８】
本実施形態は駆動制御装置３０である。この駆動制御装置３０は、前述の油圧ショベル１を駆動するものであって、内燃機関から成るエンジン３１と、このエンジン３１により駆動される可変容量型油圧ポンプ３２と、この可変容量型油圧ポンプ３２の吐出油を供給されて油圧ショベル１の所定部位を駆動する油圧アクチュエータ、すなわち走行体２、ブーム８、アーム９、バケット１０のそれぞれを駆動するための走行モータ３３（油圧モータ）、ブームシリンダ３４（油圧シリンダ）、アームシリンダ３５（油圧シリンダ）、バケットシリンダ３６（油圧シリンダ）のそれぞれとを備える。可変容量型油圧ポンプ３２と、走行モータ３３、ブームシリンダ３４、アームシリンダ３５およびバケットシリンダ３６との間には、油圧制御回路３７が介在して設けられ、この油圧制御回路３７によって、走行モータ３３、ブームシリンダ３４、アームシリンダ３５、バケットシリンダ３６のそれぞれに対して可変容量型油圧ポンプ３２から供給される圧油の流れが制御されるようになっている。
【００１９】
駆動制御装置３０はさらに、蓄電装置としてのバッテリ４１と、このバッテリ４１からの電気エネルギの供給によって力行することで、エンジン３１による可変容量型油圧ポンプ３２の駆動をアシストするアシストモータ３２とを備える。アシストモータ３２はモータ・ジェネレータから成り、エンジン３１により駆動されることによってバッテリ４１に充電される電気エネルギを生成する。
【００２０】
駆動制御装置３０はさらに、走行体２、ブーム８、アーム９、バケット１０とは別の所定部位すなわち旋回体３を、バッテリ４１からの電気エネルギの供給によって力行することで駆動する旋回モータ４７を備える。この旋回モータ４７はモータ・ジェネレータから成り、旋回モータ４７の制動時に回生によりバッテリ４１に充電される電気エネルギを生成する。
【００２１】
駆動制御装置３０はさらに、バッテリ４１の出力をアシストモータ３２の駆動電力に変換するアシスト用インバータ４３と、バッテリ４１の出力を旋回モータ４７の駆動電力に変換する旋回用インバータ４８と、アシストモータ４２により生成された電気エネルギ、および、旋回モータ４７により生成された電気エネルギを、バッテリ４１に充電可能に変換するコンバータ４４とを備える。
【００２２】
駆動制御装置３０はさらに、アシスト用インバータ４３、旋回用インバータ４８およびコンバータ４４を制御するコントローラ５０を備える。
【００２３】
バッテリ４１には、油圧ショベル１の外部に設けられた外部電源と接続可能な充電器６０が接続されている。つまり、バッテリ４１は、外部電源による充電、すなわち外部充電が可能に構成されたものである。なお、バッテリ４１はフル充電が頻繁に行われると寿命が短くなりやすいため、充電器６０による充電は、フル充電時の充電残量１００％よりも小さく予め設定された充電残量(例えば９０％)に達した場合に、充電を終了するよう設定されている。
【００２４】
駆動制御装置３０はさらに、バッテリ４１での充電残量を検出して、その充電残量に相応する充電残量検出信号（電気信号）をコントローラ５０に出力する充電残量検出器４１ａを備える。
【００２５】
コントローラ５０はＣＰＵ、ＲＯＭ、ＲＡＭを備えるマイクロコンピュータであり、制御プログラムにより予め設定された外部充電検知手段５１と、電気出力制御処理手段５１とを備える。
【００２６】
外部充電検知手段５１は、エンジンキーによるエンジン３１の始動操作時に、バッテリ４１に対し外部充電が行われたか否かを検知するものである。より詳細には、外部充電検知手段は、バッテリ４１におけるにおける充電残量が所定充電残量よりも大きく予め設定された規定充電残量以上であることを、言い換えると、規定充電残量以上の充電残量が充電残量検出器４１ａにより検出されたことを、バッテリ４１に対し外部充電が行われたこととして検知し、バッテリ４１における蓄電残量が規定充電残量よりも小さな充電残量であることを、言い換えると、規定充電残量よりも小さな充電残量が充電残量検出器４１ａにより検出されたことを、バッテリ４１に対し外部充電が行われていないこととして検知するものである。「所定充電残量」とは、例えばバッテリ４１がフル充電された場合の充電残量を１００％とした場合の３０％である。「規定充電残量」とは、例えばバッテリ４１がフル充電された場合の充電残量を１００％とした場合の５０％である。
【００２７】
電気出力制御手段５２は、アシスト用インバータ４２からアシストモータ３２に供給される電力と、旋回用インバータ４８から旋回モータ４７に供給される電力とを、充電残量検出器４１ａにより検出される充電残量に基づき制御することによって、バッテリ４１からアシストモータ４２および旋回モータ４７に供給される電気エネルギの出力を制御するものであるとともに、アシストモータ４２および旋回モータ４７により生成される電気エネルギのバッテリ４１に対する充電を、充電残量検出器４１ａにより検出される充電残量に基づきコンバータ４４を制御することによって行うものである。
【００２８】
より詳細には、バッテリ４１に対し外部充電が行われたことが外部充電検知手段５１により検知された場合に、バッテリ４１から出力される電気エネルギを制限せずに、アシストモータ４２および旋回モータ４７の要求に基づいて制御する第１のモードでの制御を、電気出力制御手段５２は行う。一方、バッテリ４１に対し外部充電が行われたことが外部充電検知手段５１により検知されない場合に、バッテリ４１から出力される電気エネルギを制限して、バッテリ４１における充電残量を所定充電残量（３０％）に維持する第２のモードでの制御を、電気出力制御手段５２は行う。
【００２９】
また、電気出力制御手段５２は、第１のモードでバッテリ４１の出力の制御を開始した後、バッテリ４１における充電残量が所定充電残量（３０％）以下まで減少したときに、言い換えると、充電残量検出器４１ａにより検出された充電残量が所定充電残量（３０％）以下まで減少したときに、第１のモードから第２のモードに移行する。
【００３０】
第２モード中、電気出力制御手段５２は、バッテリ４１における充電残量が所定充電残量以下の状態において、アシストモータ３２がエンジン３１により駆動されて電気エネルギを生成した場合にその電気エネルギでバッテリ４１の充電を行い、旋回モータ４７が制動時に回生により電気エネルギを生成した場合にその電気エネルギでバッテリ４１の充電を行う。
【００３１】
駆動制御装置３０はさらに、第１のモードと第２のモードとを手動により選択的に電気出力制御手段５２に指定するモード指令装置６１を備える。なお、モード指令装置６１により電気出力制御手段５２に第１のモードが指令された場合であっても、充電残量検出器４１ａにより所定充電残量（３０％）以下が検出された状態においては、電気出力制御手段５２は、第１のモードをキャンセルし、強制的（自動的）に第２のモードに設定される。
【００３２】
このように構成された本実施形態の駆動制御装置３０によれば、バッテリ４１の充電残量は例えば図３，図４に示すように推移する。
【００３３】
図３に示すように、油圧ショベル１が使用されない期間内（非作業中）、例えば１日〜２日程度の間に、バッテリ４１に対して外部充電が行われ、例えば時点Ｔ１で充電残量が９０％に達すると、充電器６０は充電を終了する。その外部充電の後、時点Ｔ２で油圧ショベル１に作業を開始させるにあたって、エンジンキーによりエンジン３１の始動操作が行われたときに、充電残量検出器４１ａは規定充電残量（５０％）以上の充電残量である９０％を検出し、この９０％に相応する充電残量検出信号をコントローラ５０に出力する。その充電残量検出信号がコントローラ５０に入力されると、コントローラ５０の外部充電検知手段５１は、その充電残量検出信号により示された充電残量が９０％であって規定充電残量以上であることを、バッテリ４１に対し外部充電が行われたこととして検知する。
【００３４】
これに伴い、コントローラ５０の電気出力制御手段５２は、バッテリ４１から出力される電気エネルギの制御を、第１のモードで行う。つまり、電気出力制御手段５２は、バッテリ４１から出力される電気エネルギを制限せずに、アシストモータ４２および旋回モータ４７の要求に基づき制御する。
【００３５】
第１モード中はバッテリ４１から出力される電気エネルギが制限されないので、バッテリ４１の充電残量は、油圧ショベル１での作業中においてアシストモータ３２および旋回モータ４７の少なくとも一方で消費され、減少し続ける。この結果、充電残量が時点Ｔ３で所定充電残量（３０％）に達する。このとき、充電残量検出器４１ａは充電残量が３０％になったことを検出して、その３０％に相応する充電残量検出信号をコントローラ５０に出力する。その充電残量検出信号がコントローラ５０に入力されると、コントローラ５０の電気出力制御手段５２は、所定充電残量（３０％）まで減少したことに基づき、第１のモードから第２モードに移行する。つまり、電気出力制御手段５２は、バッテリ４１から出力される電気エネルギを制限して、バッテリ４１の充電残残量が所定充電残量（３０％）に維持されるように、バッテリ４１からアシストモータ４２および旋回モータ４７に供給される電気エネルギの出力と、アシストモータ４２および旋回モータ４７により生成される電気エネルギのバッテリ４１に対する充電とを制御する。これにより、バッテリ４１の充電残量は、例えば図３に示すように所定充電残量３０％前後の所定範囲内で増減する状態となる。
【００３６】
図４に示すように、油圧ショベル１が使用されない期間内（非作業中）にバッテリ４１に対して外部充電が行われなかったために、バッテリ４１における充電残量は、前回の作業終了時点のまま、例えば所定充電残量（３０％）のままである場合、時点Ｔ４で油圧ショベル１に作業を開始させるにあたって、エンジンキーによりエンジン３１の始動操作が行われたときに、充電残量検出器４１ａは規定充電残量（５０％）よりも小さい充電残量（３０％）を検出し、この３０％に相応する充電残量検出信号をコントローラ５０に出力する。その充電残量検出信号がコントローラ５０に入力されると、コントローラ５０の外部充電検知手段５１は、その充電残量検出信号により示された充電残量が３０％であって所定充電残量以下であることを、バッテリ４１に対し外部充電が行われなかったこととして検知する。
【００３７】
コントローラ５０の電気出力制御手段５２は、バッテリ４１に対し外部充電が行われていないことが外部充電検知手段５１により検知されたことに基づき、第２のモードでの制御を開始する。つまり、電気出力制御手段５２は、前述のように、バッテリ４１から出力される電気エネルギを制限して、バッテリ４１の充電残残量が所定充電残量（３０％）に維持されるように、バッテリ４１からアシストモータ４２および旋回モータ４７に供給される電気エネルギの出力と、アシストモータ４２および旋回モータ４７により生成される電気エネルギのバッテリ４１に対する充電とを制御する。これにより、バッテリ４１の充電残量は、図４に示すように所定充電残量３０％前後の所定範囲内で増減する状態となる。
【００３８】
本実施形態によれば次の効果を得られる。
【００３９】
本実施形態において、電気出力制御手段５２は、バッテリ４１に対し外部充電が行われたことが外部充電検知手段５１により検知された場合に、バッテリ４１から出力される電気エネルギを制限せずに、アシストモータ４２および旋回モータ４７の要求に基づいて制御する第１のモードでの制御を行い、外部充電が行われていないことが外部充電検知手段５１により検知された場合に、バッテリ４１から出力される電気エネルギを制限して、充電残量を所定充電残量（３０％）に維持する第２のモードでの制御を行う。外部充電が行われたことが検知される場合とは、充電残量が規定充電残量（５０％）以上となるまで充電された場合であり、その規定充電残量（５０％）は所定充電残量（３０％）よりも予め大きく設定されたものであるから、第１のモードにおけるバッテリ４１の出力の上限は、第２のモードにおけるバッテリ４１の出力の上限に比べて大きく設定されることになる。これらにより、本実施形態は、油圧ショベル１のバッテリ４１に対して外部充電が行われた場合は行われなかった場合と比べて、バッテリ４１の出力を大きく設定することができる。
【００４０】
本実施形態において、電気出力制御手段５２は、第１のモードでバッテリ４１の出力の制御を開始した後、充電残量検出器４１ａにより検出された充電残量が所定充電残量（３０％）まで減少したときに、第１のモードから第２のモードに移行する。これにより、バッテリ４１に対し外部充電が行われた場合であっても油圧ショベル１での作業中にバッテリ４１での充電残量が所定充電残量（３０％）まで減少した後は、バッテリ４１における充電残量を所定充電残量に維持することができる。
【００４１】
なお、前述の実施形態において、アシストモータ３２および旋回モータ４７は何れもモータ・ジェネレータであったが、本発明はこれに限定されるものではなく、アシストモータ３２および旋回モータ４７の何れか一方のみモータ・ジェネレータであってもよい。
【００４２】
前述の実施形態において、蓄電装置はバッテリ４１であるが、本発明における蓄電装置はバッテリに限定されるものではなく、キャパシタであってもよい。
【００４３】
前述の実施形態において、蓄電装置はバッテリ４１のみから構成されるものであるが、バッテリ４１とキャパシタとから構成されるものであってもよい。この場合に、第１のモードにおける蓄電装置の出力はバッテリ４１の出力のみで設定され、第２のモードにおける蓄電装置の出力はキャパシタの出力のみで設定されてもよい。
【００４４】
前述の実施形態は油圧ショベル１に適用された例であるが、本発明は油圧ショベル１以外の作業機械に適用されてもよい。
【符号の説明】
【００４５】
１  油圧ショベル（作業機械）
２  走行体（所定部位）
３  旋回体（別の所定部位）
８  ブーム（所定部位）
９  アーム（所定部位）
１０  バケット（所定部位）
３０  駆動制御装置
３１  エンジン
３２  可変容量型油圧ポンプ
３３  走行モータ（油圧アクチュエータ）
３４  ブームシリンダ（油圧アクチュエータ）
３５  アームシリンダ（油圧アクチュエータ）
３６  バケットシリンダ（油圧アクチュエータ）
４１  バッテリ（蓄電装置）
４２  アシストモータ（電動モータ）
４３  アシスト用インバータ
４４  コンバータ
４５  旋回モータ（電動アクチュエータ）
４６  旋回用インバータ
５０  コントローラ
５１  外部充電検知手段
５２  電気出力制御手段
４１ａ  充電残量検出器
【図１】
2014159716.tif 000003
【図２】
2014159716.tif 000004
【図３】
2014159716.tif 000005
【図４】
2014159716.tif 000006